(57)【要約】【課題】  金融情報を各支店において手間を掛けずに効率よく表示させることができるばかりか、設置も容易でしかも安価に提供でき、更に、他の各種の情報をも表示可能にする。【解決手段】  金融機関の本店に配置されて金融情報を入力、記憶並びに送信可能な本店配信用の主サーバ１と、各支店に配置されて主サーバ１に通信回線を介して接続可能であるとともに主サーバ１から送信された情報を表示するための１７乃至２２インチ程度の液晶ディスプレイからなる表示装置２１を接続したパーソナルコンピュータからなる端末機２とを有する。【選択図】      図１
2005293167.tif 000002
【特許請求の範囲】
【請求項１】
金融機関の本店に配置されて金融情報を入力、記憶並びに送信可能な本店配信用の主サーバと、各支店に配置されて前記主サーバに通信回線を介して接続可能であるとともに前記主サーバから送信された情報を表示するための１７乃至２２インチ程度の液晶ディスプレイからなる表示装置を接続したパーソナルコンピュータからなる端末機とを有することを特徴とする金融商品情報の表示システム。
【請求項２】
前記主サーバからの情報を前記端末機の記憶装置に記憶させた後、前記端末機の表示装置に表示させる請求項１記載の金融商品情報の表示システム。
【請求項３】
前記端末機に印刷機が接続されており、前記表示装置又は前記印刷機に印刷開始スイッチが接続されている請求項１又は２記載の金融商品情報の表示システム。
【請求項４】
前記主サーバに別の金融情報を記憶させた副サーバが接続されており、前記副サーバに記憶させてある別の金融情報を前記主サーバを介してそのままあるいは主サーバに記憶させてある金融情報と共に前記端末機に送信可能である請求項１，２又は３に記載の金融商品情報の表示システム。
【請求項５】
前記端末機に記憶されている情報を前記主サーバからの情報と区別して又は一緒に前記表示装置に表示する請求項１，２，３又は４に記載の金融商品情報の表示システム。
【請求項６】
前記主サーバに記憶されている金融情報を移動型の記憶媒体を介して前記端末機に移送する請求項１，２，３，４又は５に記載の金融商品情報の表示システム。
【発明の詳細な説明】
【技術分野】
【０００１】
本発明は、金融機関において、取り扱う金融商品の内容を利用者に説明するための金融商品情報の表示システムに関するものである。
【背景技術】
【０００２】
近頃、銀行などの金融機関において、金融サービスにおける利用者の保護を図る目的で、金利表示、為替や株価などの各種指標表示を行うことにより金融商品販売に伴う商品情報を説明することが義務づけられている。
【０００３】
そこで、従来、銀行などの金融機関において掲示板や電光掲示板を用いて商品情報を利用者に提示している。
【０００４】
しかしながら、掲示板を用いて表示する場合には、各種の金融情報の掲示物を掲示する手間が大変である。特に、金融情報には多くの種類の商品が存在すること、更に、日毎に変化する外国為替相場などはその都度掲示物を取り替えなければならない等きわめて面倒である。また、限られた掲示スペースに各種の情報を掲示しなければならず個々の情報の表示面積が小さくなることから掲示板に近付かなければ判読できない等の問題がある。
【０００５】
また、電光掲示板は掲示板と異なり、掲示物を貼る手間が必要ないとともに情報を一元的に管理することができることから掲示板に比べて管理、運営に手間がかからない。
【発明の開示】
【発明が解決しようとする課題】
【０００６】
本発明が解決しようとする課題は、金融情報を各支店において手間を掛けずに効率よく金融情報を表示させることができるばかりか、設置も容易でしかも安価に提供でき、更に、他の各種の情報をも表示することができる金融商品情報の表示システムを提供するものである。
【課題を解決するための手段】
【０００７】
前記課題を解決するため、本発明である金融商品情報の表示システムは、金融情報を入力、記憶並びに送信可能な本店配信用の主サーバと、前記サーバに通信回線を介して接続可能であるとともに前記主サーバから送信された情報を１７乃至２２インチ程度の液晶ディスプレイを接続した表示装置に表示可能なパーソナルコンピュータからなる端末機とを有することを特徴とする。
【０００８】
また、前記表示装置又は前記印刷機に接続された印刷開始スイッチにより駆動する印刷機が前記端末機に印刷機が接続されている手段、別の金融情報を記憶させた副サーバからの情報をそのまま或いは主サーバに記憶させてある金融情報と共に前記端末機器に送信可能である手段、前記端末機に記憶させてある情報を前記サーバからの情報と区別して又は一緒に前記表示装置に表示する手段、前記端末機に記憶されている情報を前記サーバからの情報と区別して又は一緒に前記表示装置に表示する手段を採用することもできる。
【発明の効果】
【０００９】
本店に配置された主サーバから通信回線を介して各支店に配置された端末機に金融情報を送信して表示するので各支店における経費が節約できる。
また、端末機は市販のパーソナルコンピュータを用いることができるので更に安価で操作性にも優れ、特に、端末機の表示装置として１７乃至２２インチ程度の液晶ディスプレイからなる表示装置を用いることにより、視覚性および設置容易性を満足することができる。
【発明を実施するための最良の形態】
【００１０】
次に、本発明を実施するための最良の形態について説明する。
【００１１】
図１及び図２は本発明の好ましい実施の形態を示すものであり、本発明である金融商品の表示システムは、主として本店（又は管理センター等）に配置されている本店配信用の主サーバ１と各支店に配置されている受信用の端末機２とから構成され、両者は例えば広域インサーネット網等の常時接続回線からなる通信回線３を介して接続されている。
【００１２】
そして、主サーバ１は、例えばキーボードなどの入力機器１１により金利表示、為替や株価などの各種金融情報を記憶装置（データベース）Ｄ１に入力可能で、記憶装置（データベース）Ｄ１に記憶された各種金融情報が通信接続回線１２に接続されたルータ１３を介して通信回線３に送信される。
【００１３】
一方、支店に配置された端末機２は一般に市販されているパーソナルコンピュータにより構成されるが、市販のアプリケーション（データベース）等は特に必要とせず、１７乃至２２インチ程度の液晶ディスプレイからなる表示装置２１を有している。この表示装置２１は、液晶ディスプレイであることとから奥行がなく、図２に示すように、例えば支店のカウンター４の頂面に載置されることにより、支店を訪れた利用者がごく自然に確認することができるものであり、支店側にとっても業務に支障を来す心配もない。特に、本実施の形態では、表示装置２１は１７乃至２２インチ程度の画面を有しており、支店において接地するにも負担にならず、また、利用者が表示された情報を視認するにも必要充分な大きさでもあり、更に、価格的にも手頃である。
【００１４】
また、端末機２は通常のパーソナルコンピュータであり、ＣＰＵ本体２２やキーボード等の入力機器２３は例えば図２（ｂ）に示すようにカウンター４の内部に収容しておき、ＣＰＵ本体２２と延長コード２４で接続しておくとよい。
更に、端末機２は通信接続回線２５に接続されたルータ２６を介して前記通信回線３に接続される。
【００１５】
本実施の形態は、情報を例えばキーボードなどの入力機器１１により金利表示、為替や株価などの各種金融情報を記憶装置（データベース）Ｄ１に入力、記憶させ、これらの情報を通信回線３を介して支店に配置された端末機２に送信し、図３に示すように表示装置２１に表示させる。尚、表示は金融情報２１０だけでなく、例えば金融機関からのお知らせや宣伝広告情報等をテロップ２１１として表示する等も可能であり、利用者のニーズに合わせたメッセージを配信することで興味あるものとすることもできる。
【００１６】
尚、端末機２では前記本店から配信される金融情報の全てを本店の意向に沿って順次、表示することも可能であるが、その一部を選択して表示させることもできる。これらの制御は市販の端末機に備えられている通常の表示切り替え手段を用いればよい。
【００１７】
本実施の形態は、基本的に本店に配置した主サーバ１と各支店に配置した市販のパーソナルコンピュータからなる端末機により金融情報をリアルタイムで容易に表示することができる。特に、本実施の形態は、本店に配置した主サーバ１により各支店の端末機２における表示を一括して管理するため各支店には管理者を配属する必要もなく経済的にもきわめて有利である。
【００１８】
特に、支店に配置した端末機２の表示装置として１７乃至２２インチ程度の液晶ディスプレィを用いているので、図２に示したようにカウンター４の上に載置するなど利用者に見やすい箇所に簡単に設置することができ、又、業務の支障になる心配もない。加えて、１７乃至２２インチ程度の表示部に情報を表示するので少し離れた所からも視認可能である。
【００１９】
尚、本実施の形態では、表示装置２１をカウンター４の上に載置する場合を示したが、従来の表示手段であるボードや電光掲示板のように適宜の壁面に掛けた状態で設置しても良い。
【００２０】
図４は本発明の異なる実施の形態を示す概略図であり、全体の構成は前記図１に示した実施の形態とほぼ同様であるが、本店に配置された主サーバ１と各支店に配置された端末機２とが例えばＩＳＤＮ回線網等のデジタル回線を用いた点、並びに端末機２が独自の記憶装置（データベース）Ｄ２を有している点が異なる。
【００２１】
従って、前記図１に示した実施の形態と同様に常時接続によるリアルタイム表示も可能であるが、必要な時に記憶装置（データベース）Ｄ２にダウンロードして記憶させておき、それらの情報を端末機２を用いて表示装置２１に表示させることができる。そのため、前記主サーバ１から配信されてくる金融情報だけを表示させるだけでなく、端末機２から独自に入力した情報をと一緒に表示させることにより各支店に適した金融情報だけを表示させることができ、又、端末機２を単独で金融商品表示装置として使用することも可能である。
【００２２】
図５は本発明の更に異なる実施の形態を示すものであり、本店にも前記支店に設置したのと同様な表示用の端末機４を配置した点、例えば電光掲示板などに表示する等、別の金融情報を表示ための既設のデータを記憶、配信可能な副サーバ５を併有した点、支店での端末機２に印刷機６を接続した点等が異なる。
【００２３】
更に、詳細に説明すると、本店に配置した主サーバ１に本店内における利用客用に前記支店において配置された端末機２と同様な端末機４が通信接続回線１２を介して接続されている。
【００２４】
本店内は主サーバ１の表示装置１４を用いて金融情報を表示することもできるが、一般に本店は広域な空間を有している場合が多く、別に表示用の端末配置することにより安価且つ容易に表示装置を増設することができる。
【００２５】
また、本システムを採用する金融機関が既に金融情報システムを有している場合には、副サーバ５として本システムと併用させて情報を連携させることも
できる。ただ、両情報のファイル形式が異なる場合などはファイルの画一化をする必要が生じる場合もあるが、既存のシステムを採用することにより資源の有効利用を図ることも可能である。
【００２６】
更に、本実施の形態では、端末機２に印刷開始スイッチ６１と共に印刷機６が接続されている。従って、利用者は表示装置２１に表示されている情報を印刷した紙面により得たい場合にも印刷開始スイッチ６１を押すだけの簡単な操作で印刷させることが可能となり、書き写したり記憶する手間を必要とせずきわめて便利である。
【００２７】
尚、前記実施の形態はいずれも通信回線３を介して主サーバ１と、表示装置２１を有する端末機２とを接続して金融情報を配信するものであるが、例えば、フロッピーディスク、ＣＤ−ＲＯＭ、ＤＶＤ−ＲＯＭ等の移動型の記憶媒体を用いて移送させてもよく、特に、通信回線が故障した場合、コンピュータウィルスの侵入を阻止したい場合、特別に知られたくない情報を移送する場合などの対応に際して有効である。
【図面の簡単な説明】
【００２８】
【図１】本発明の好ましい実施の形態を示す概略図。
【図２】図１に示した実施の形態の使用状態を示す斜視部分図及びその縦断面図。
【図３】図１に示した実施の形態について表示装置における金融情報の表示状態を示す表示画面の概略図。
【図４】本発明の異なる実施の形態を示す概略図。
【図５】本発明の更に異なる実施の形態を示す概略図。
【符号の説明】
【００２９】
１    主サーバ
２    端末機
３    通信回線
５    副サーバ
６    印刷機
６１  印刷開始スイッチ
Ｄ１  記憶装置
Ｄ２   記憶装置
【図１】
2005293167.tif 000003
【図２】
2005293167.tif 000004
【図３】
2005293167.tif 000005
【図４】
2005293167.tif 000006
【図５】
2005293167.tif 000007